(57)【要約】マルチメディアコンテンツについての主観的情報が、明確な構文と記号の意味で表現され且つそのマルチメディアコンテンツとリンクされることを可能とするデータを入力するための主観的情報レコードである。そのレコードは、マルチメディアコンテンツとそのマルチメディアコンテンツの位置を識別するデータを入力するフィールドと、そのマルチメディアコンテンツについての主観的情報の著者を識別するデータを入力するフィールドと、主観的情報の言語のフィールドと、そのコンテンツについての主観的情報のフィールドと、を有する。
2004523842.tif 000002
【特許請求の範囲】
【請求項１】
マルチメディアコンテンツについての主観的情報が、明確な構文と記号の意味で表現され且つそのマルチメディアコンテンツとリンクされることを可能とするデータを入力するための主観的情報レコードであって、そのレコードは、
マルチメディアコンテンツとそのマルチメディアコンテンツの位置を識別するデータを入力するフィールドと、
そのマルチメディアコンテンツについての主観的情報の著者を識別するデータを入力するフィールドと、
そのコンテンツについての主観的情報のフィールドと、
を有し、
マルチメディアコンテンツとそのマルチメディアコンテンツの位置を識別するデータを入力するフィールド内の識別子は、マルチメディア検索システムが、その主観的情報を、そのマルチメディアコンテンツへリンクすることを可能とする、レコード。
【請求項２】
そのレコードは、ユーザの嗜好に従って、マルチメディアコンテンツを自動的に選択するか又はフィルタするマルチメディア検索装置で使用できる、請求項１に記載のレコード。
【請求項３】
更に、主観的情報の言語に関するフィールドを含む、請求項１に記載のレコード。
【請求項４】
主観的情報の言語に関するフィールドは、全ての言語を列挙する分類機構の名称についての辞書識別サブフィールドと、主観的情報を書くのに使用される言語の識別子のための言語識別サブフィールドと、分類機構の位置についての位置識別サブフィールドを含む、請求項３に記載のレコード。
【請求項５】
マルチメディアコンテンツとそのマルチメディアコンテンツの位置を識別するデータを入力するフィールドは、主観的情報の具体例の識別のための識別サブフィールドと、そのコンテンツの識別と位置のためのコンテンツ識別子サブフィールドとを有する、請求項１に記載のレコード。
【請求項６】
そのマルチメディアコンテンツについての主観的情報の著者を識別するデータを入力するフィールドは、著者の組織の名称の組織識別サブフィールドと、組織の連絡先の記述のための連絡先サブフィールドと、そのコンテンツを評価した少なくとも一人の人物の記述のための人物サブフィールドを含む、請求項１に記載のレコード。
【請求項７】
そのマルチメディアコンテンツについての主観的情報の著者を識別するデータを入力するフィールドは、更に、その著者についての追加の情報の位置のためのサブフィールドと、その著者が批評に熟達しているコンテンツの形式についてのサブフィールドを有する、請求項６に記載のレコード。
【請求項８】
そのコンテンツについての主観的情報のフィールドは、レーティング機構の名称についての辞書識別サブフィールドと、レーティング機構内でコンテンツのレーティングを唯一に識別するレーティングの識別子のためのレーティング識別子サブフィールドと、レーティング機構の位置のための位置識別サブフィールドと、拘束を受けない自由なテキストの主観的情報のためのコメントサブフィールドを含む、請求項１に記載のレコード。
【請求項９】
主観的情報レコードは、ＭＰＥＧ−７記述機構として使用できる、請求項１に記載のレコード。
【請求項１０】
主観的情報レコードは、ＴＶ−Ａｎｙｔｉｍｅメタデータ構造として使用できる、請求項１に記載のレコード。
【請求項１１】
ユーザによりコンテンツが自動的に選択され又はフィルタされることが可能なように、マルチメディアコンテンツについての主観的情報をそのコンテンツへリンクする方法であって、
マルチメディアコンテンツとその位置を識別するデータを入力するフィールドと、そのマルチメディアコンテンツについての主観的情報の著者を識別するフィールドを有する主観的情報レコードを提供するステップと、
その主観的情報レコードを使用して、その著者により発生された主観的情報をそのコンテンツにリンクするステップとを有する、方法。
【請求項１２】
マルチメディアフィルタと、
各マルチメディア番組を記述する特徴データをそのフィルタへ入力する電子番組案内と、
フィルタへユーザプロファイルとその視聴履歴データを入力するためのユーザプロファイルと、
マルチメディアコンテンツについての主観的情報が、明確な構文と記号の意味で表現され且つそのマルチメディアコンテンツとリンクされることを可能とするデータを、そのフィルタへ入力するための主観的情報レコードと、
を有するマルチメディアコンテンツ検索及びフィルタリング装置。
【請求項１３】
その主観情報レコードは、
マルチメディアコンテンツとそのマルチメディアコンテンツの位置を識別するデータを入力するフィールドと、
そのマルチメディアコンテンツについての主観的情報の著者を識別するデータを入力するフィールドと、
そのコンテンツについての主観的情報のフィールドと、
を有し、
マルチメディアコンテンツとそのマルチメディアコンテンツの位置を識別するデータを入力するフィールド内の識別子は、マルチメディア検索システムが、その主観的情報を、そのマルチメディアコンテンツへリンクすることを可能とする、請求項１２に記載の装置。
【請求項１４】
主観的情報レコードは、ＭＰＥＧ−７記述機構を含む、請求項１２に記載の装置。
【請求項１５】
主観的情報レコードは、ＴＶ−Ａｎｙｔｉｍｅメタデータ構造を含む、請求項１２に記載の装置。
【発明の詳細な説明】
【０００１】
発明の分野
本発明は、コンテンツ配信に関連し、特に、マルチメディアコンテンツについての主観的情報をそのコンテンツとリンクする主観的情報レコードに関連する。
【０００２】
発明の背景
インターネットやワールドワイドウェブ（ＷＷＷ）のような、ネットワーク技術の到来で、大量のマルチメディアコンテンツの入手ができる結果なった。マルチメディアコンテンツは、ディジタル記録で、放送データストリームで、個人の及びプロのデータベース等で入手できる。この大量のマルチメディアコンテンツの価値は、それが、見つけられ、取り出され、アクセスされ、フィルタされそして、管理される容易さに、依存している。
【０００３】
マルチメディアコンテンツについての主観的な情報は、そのコンテンツの選択に影響を及ぼす重要な要因である。主観的な情報は、マルチメディアコンテンツの１又はそれ以上の人により提供される評価又は意見を含みうる。他人の意見、即ち、第３者の批評に基づくマルチメディアコンテンツの選択は、社会的フィルタリングと一般的に呼ばれる方法である。
【０００４】
社会的フィルタリング法は、一般的には、インターネットウェブサイトで採用されている。ウェブサイトのユーザは、例えば、購入する本又は音楽ＣＤの、ある特定のドメインにユーザの嗜好の詳細を提供する。そして、ユーザは、ユーザの嗜好に基づくある製品及び、同様な嗜好を有する他のユーザにより購入された製品を推薦される。
【０００５】
テレビジョン番組及び映画のような、媒体も、社会的フィルタリング法を使用して、しばしば選択される。テレビジョン番組を選択する際にはＴＶガイド又は新聞で見つかる番組の評価が参照される。映画の選択では、しばしば、興味が最も視聴者に近く一致する批評家により書かれた批評が参照される。
【０００６】
従来の社会的フィルタリング法は、マルチメディアコンテンツを選択するのに非常に有益であるが、それらは、幾つかの制限を有する。１つの制限は、印刷物、インターネット又は、電子番組案内で見つかるような、マルチメディアコンテンツについての主観的な情報は、そのコンテンツに直接的にリンクしていないことである。従って、ユーザの嗜好に基づくコンテンツの自動選択又はフィルタリングは、行うのが困難である。他の制限は、主観情報の著者は、匿名であることである。例えば、その地方のＴＶガイドで又はサービス提供者から入手できる電子番組案内（ＥＰＧ）で見つかる主観情報の著者は、典型的には供給されない。これゆえに、視聴者は、視聴者の視聴の嗜好が、その番組を批評した人の嗜好と一致することを確実にすることができない。更に、他の制限は、単一のコンテンツの複数の批評から選択するための機構が設けられていないインターネット又はインターラクティブテレビジョンアプリケーションを含む。これは、主観的な情報を直接的にそのコンテンツにリンクさせる機構が欠如していることによる。従って、ユーザは、コンテンツの選択を可能とするために、主観的情報のどのソースを受信したいかを決定する選択を有しない。
【０００７】
発明の概要
本発明の一面は、マルチメディアコンテンツについての主観的情報が、明確な構文と記号の意味で表現され且つそのマルチメディアコンテンツとリンクされることを可能とするデータを入力するための主観的情報レコードを含む。そのレコードは、マルチメディアコンテンツとそのマルチメディアコンテンツの位置を識別するデータを入力するフィールドと、そのマルチメディアコンテンツについての主観的情報の著者を識別するデータを入力するフィールドと、その主観的情報の言語のためのフィールドと、そのコンテンツについての主観的情報のフィールドと、を有する。
【０００８】
本発明の更なる面は、ユーザによりコンテンツが自動的に選択され又はフィルタされることが可能なように、マルチメディアコンテンツについての主観的情報をそのコンテンツへリンクする方法を含む。この方法は、上述の主観的情報レコードを提供し、且つ、その主観的情報レコードを使用して、著者により発生された主観的情報をそのコンテンツにリンクすることを含む。
【０００９】
本発明の他の面は、マルチメディアフィルタと、各マルチメディア番組を記述する特徴データをそのフィルタへ入力する電子番組案内と、フィルタへユーザプロファイルとその視聴履歴データを入力するためのユーザプロファイルと、データを、そのフィルタへ入力するための主観的情報レコードと、を有する。主観的情報レコードは、マルチメディアコンテンツについての主観的情報が、明確な構文と記号の意味で表現され且つそのマルチメディアコンテンツとリンクされることを可能とする。
【００１０】
発明の詳細な説明
本発明の優位点、性質及び、種々の更なる特徴は、添付の図面とともに説明する例示的な実施例を考慮して、更に完全に明らかになるであろう。同様な番号は，同様な構成要素を識別するために使用される。
【００１１】
図１は、本発明の例示的な実施例に従った、主観的情報レコード１０である。レコードは、マルチメディアコンテンツについての主観的情報に関連するデータを入力する複数のフィールドを有し、これにより、主観的情報の構造化された表現、即ち、マルチメディアコンテンツについての主観的情報をそのコンテンツとリンクするのに優位に使用されうるメディア批評記述、を発生する。レコードのフィールドは、コンテンツ識別子フィールド２０、主観的情報批評者又は評価フィールド３０、主観的情報言語フィールド４０及び、主観的情報フィールド５０を含みうる。
【００１２】
コンテンツ識別子フィールド２０は、２つのサブフィールド：主観的情報の具体例の識別のための識別サブフィールド２２とコンテンツの識別と位置のためのコンテンツ識別子サブフィールド２４を含みうる。コンテンツ識別子フィールド２４に供給されるデータは、マルチメディアコンテンツについての主観的情報を直接的にそのマルチメディアコンテンツにリンクすることを可能とし、それゆえに、従来の選択／フィルタリング技術を使用して、コンテンツの自動的な選択／フィルタリングを可能とする。
【００１３】
主観的情報批評者フィールド３０は、３つのサブフィールド：批評する組織の名称のための組織識別サブフィールド３２；その組織の連絡先の記述のための連絡先サブフィールド３４；及び、そのコンテンツを評価した１又はそれ以上の人物の記述のための人物サブフィールドを有する。主観的情報批評者フィールド３０は、ユーザが、特定の批評者の主観的情報がユーザのコンテンツの選択／フィルタリング処理に使用されるかどうかを決定することを可能とする。批評者は、ＭＰＡＡ（アメリカ映画協会）のような組織か又は、ＳＩＳＫＥＬ＆ＥＢＥＲＴのような個人又は個人のグループである。批評者フィールドは、複数の批評者による単一のコンテンツについての主観的情報の複数の例も可能とする。
【００１４】
批評者フィールドは、更に批評者を識別する、追加のサブフィールド（図示していない）を有しても良い。例えば、サブフィールドは、批評者についての追加の情報の位置が供給されても良い。他のサブフィールドは、批評者が、批評等に熟達しているコンテンツの形式が提供されても良い。
【００１５】
主観的情報言語フィールド４０は、３つのサブフィールド：全ての言語を列挙する分類機構の名称についての辞書識別サブフィールド４２；主観的情報を書くのに使用される言語の識別子のための言語識別サブフィールド４４；及び、分類機構の位置についての位置識別サブフィールド４６を有する。主観的情報言語フィールド４０は、異なる言語での、同じ著者による、主観的情報の複数の例へのアクセスを提供する。
【００１６】
主観的情報フィールド５０は、４つのサブフィールド：レーティング機構の名称のための辞書識別サブフィールド５２；レーティング機構内でコンテンツのレーティングを唯一に識別するレーティングの識別子のためのレーティング識別子サブフィールド５４；レーティング機構の位置のための位置識別サブフィールド５６；及び、拘束を受けない自由なテキストの主観的情報のためのコメントサブフィールド５８を含む。主観的情報レーティングフィールド５０は、予め定められたレーティング機構からのような制約された値を有し得る。本実施例では、レーティング機構の名称、コンテンツに割当てられたレーティング機構内の唯一の識別子及び、レーティング機構の位置は、レーティング情報で規定される。例えば、レーティングは、例えば、１は眠りを誘いそして１０はすごく刺激的である、１から１０のスケールような、批評者により造り出された数値レーティングでもよい。レーティングは、拘束を受けない自由なテキストでもよい。他の例では、ＭＰＡＡが、そのレーティング機構がコンテンツを批評し且つ評価するのに使用される実体であるとすれば、マルチメディアコンテンツは、ＰＧ−１３に評価され、ＭＰＡＡレーティング機構は、ウェブサイトｗｗｗ．ｍｐａａ．ｏｒｇ／ｒａｔｉｎｇ−ｓｃｈｅｍｅ上で完全に定義される（Ｇ、ＰＧ，ＰＧ−１３、Ｒ）。コンテンツについての自由なテキストは”この映画のグラフィック効果は非常に現実的である”と読めるとする。このコンテンツに対するレーティングは、次のようである：
レーティング：
辞書ｉｄ−ＭＰＡＡ
レーティングｉｄ−ＰＧ−１３
位置ｉｄ−ｗｗｗ．ｍｐａａ．ｏｒｇ／ｒａｔｉｎｇ−ｓｃｈｅｍｅ
コンテンツ：この映画のグラフィック効果は非常に現実的である。
【００１７】
第３者がレーティング機構を定義するを可能とするために、そして、位置情報とコンテンツを評価するためにその機構内での値を使用して、それを参照するために、主観的情報サブフィールドは、このように構成される。
【００１８】
本発明の主観的情報レコードは、ＭＰＥＰ−７で採用されることが可能である。ＭＰＥＧ−７は、種々の形式のマルチメディア情報を記述するのに使用され得る記述子の標準的なセットを規定する、マルチメディア検索規格である。また、オーディオビジュアル記述子を、位置を捜されるオーディオビジュアル素材に関連付ける方法が示されている。本発明の主観的情報レコードは、ＭＰＥＧ−７記述機構として具体化され、そして、ＭＰＥＧ−７により定義された機構又は従来のリンキング機構により、関連するマルチメディアコンテンツとリンクされうる。
【００１９】
本発明のレコードのＭＰＥＧ−７の実施例は、ＴＶ−Ａｎｙｔｉｍｅにより定義されているメタデータスキーマの組みにも採用されている。図２に示されているように、本発明の主観的情報レコードは、マルチメディアコンテンツに関する主観的情報を表し且つＴＶ−Ａｎｙｔｉｍｅアプリケーションについてのコンテンツとリンクさせるために、ＴＶ−Ａｎｙｔｉｍｅ内で認識され且つ実行されるメタデータ構造６０として実現されうる。ＴＶ−Ａｎｙｔｉｍｅは、大容量のディジタル記憶装置を有する民生用プラットフォーム上で、オーディオビジュアルと他のサービスを可能とするための、オープン仕様を定義する規格である。
【００２０】
マルチメディアコンテンツについての主観的情報を表現し且つそのコンテンツとリンクする能力は、例えば、典型的には、マルチメディアをディジタル的に記録する大容量記憶装置を装備するパーソナルテレビジョン（ＴＶ）レコーダを採用する、従来のＴＶ推薦器又はパーソナルテレビジョン（ＰＴＶ）サービスで使用される、マルチメディアコンテンツ検索及びフィルタリングシステム及び装置で特に有益である。図２に示されているように、例示のマルチメディアコンテンツ検索及びフィルタリングシステムは、ユーザプロファイル８０内に格納されているユーザプロファイルデータとユーザの視聴履歴データと、タイトル、チャネル、開始時間等のような各マルチメディア番組を記述する特徴を含む電子番組案内９０（ＥＰＧ）により供給されるデータに従って、マルチメディアコンテンツを選択し且つ記録する、従来のマルチメディアフィルタリングソフトウェア７０を有する。本発明に従って、ユーザプロファイルデータは、ユーザのマルチメディア批評嗜好を含む。ユーザの視聴プロファイル８０内に格納されたマルチメディア批評嗜好とＥＰＧ９０内に格納された番組データは、そのコンテンツに付随しているマルチメディアコンテンツについての主観的情報レコード６０とともに、望みのマルチメディアコンテンツを選択し且つ記録するためにフィルタリングソフトウェア７０により使用されうる。
【００２１】
ＰＴＶサービス提供者の場合には、マルチメディアコンテンツについての主観的情報は、本発明のレコードにより提供されるように、同期化された方法でコンテンツと共にストリーム化され又は、異なる配信機構を使用してＰＴＶサービス提供者により有効になされる。後者の場合には、ＰＴＶサービス提供者は、インターネットウェブサイトを提供し且つ、本発明のレコードを介して、主観的情報を配信するための機構として、電子番組案内（ＥＰＧ）を使用する。主観的情報を有するＥＰＧは、周期的にダウンロードされ、そして、ユーザのプロファイル内の設定に基づいて、視聴されるテレビジョン番組が、自動的に選択される。ユーザは、例えば、ユーザがＥＰＧを通してブラウズするように、そのコンテンツについて表示される主観的情報に基づいて手動でコンテンツを選択するように選択しうる。
【００２２】
明らかなように、本発明の主観的な情報レコードは、一様な方法で、即ち、明確な構文と記号の意味で、そして、そのコンテンツに直接リンクされるこの情報について、そのコンテンツがコンテンツ選択／フィルタリング技術を使用して自動的にフィルタされるように、マルチメディアコンテンツに関する主観的情報の表現を可能とする。特に、主観的情報レコードは、主観的情報の著者を識別する手段を提供し、これにより、ユーザに、ユーザ嗜好に基づくコンテンツ選択／フィルタリング処理で、主観的情報を使用する選択を、提供する。
【００２３】
本発明のレコードは、単一のコンテンツにリンクされた主観的情報の複数の例も許し、それにより、ユーザに、ユーザ嗜好に基づくコンテンツ選択／フィルタリング処理で選択する主観的情報の選択を提供する。例えば、批評者ＡとＢは、映画を批評する。以前の経験に基づいて、ユーザは、テレビジョン番組と映画レーティングについて、批評者Ｂより批評者Ａを好みうる。このように、ユーザは、この嗜好を、ユーザのコンテンツ選択／フィルタリングプロファイルに入力する。ユーザプロファイルの設定に従って、批評者Ａのレーティングを有するＥＰＧの版がダウンロードされ、そして、批評者Ａの主観情報は、ユーザのコンテンツ選択／フィルタリング処理に採用される。
【００２４】
単一のコンテンツについての主観的情報の複数の例へアクセスする能力は、異なる批評者によるレーティングを単一のレーティングを提供する異なる方法で結合することも可能とする。例えば、視聴者は８０パーセントの批評者により非常に良いと評価された映画のみを見たいと希望しうる。
【００２５】
本発明のレコードにより提供される他の優位点は、主観的情報が複数の言語で利用できるようになされることを可能とすることである。この特徴は、コンテンツ検索及びフィルタリングシステムから利益を受けるユーザの範囲を拡大する。
【００２６】
本発明の主観的情報レコードの分野は、ここに記載した分野に限定されないことは、理解されるべきである。
【００２７】
前述の説明は、上述の実施例を参照して記述したが、本発明の範囲から離れることなしに、種々の修正と変更がなされうる。従って、そのような修正と変更は、添付の請求の範囲内であると考えられる。
【図面の簡単な説明】
【図１】
本発明の例示的な実施例に従った、主観的情報レコードを示す図である。
【図２】
本発明の主観的情報レコードを使用するマルチメディアコンテンツ検索及びフィルタリングシステムの例示的な実施例のブロック図である。
【図１】
2004523842.tif 000003
【図２】
2004523842.tif 000004
【国際公開パンフレット】
2004523842.tif 000005
2004523842.tif 000006
2004523842.tif 000007
2004523842.tif 000008
2004523842.tif 000009
2004523842.tif 000010
2004523842.tif 000011
2004523842.tif 000012
2004523842.tif 000013
2004523842.tif 000014
2004523842.tif 000015
2004523842.tif 000016
【国際調査報告】
2004523842.tif 000017
2004523842.tif 000018